(57)【特許請求の範囲】
【請求項１】
２台のデータ合成装置、２台のデータ送出装置及び選択手段を備え、前記２台のデータ合成装置と前記２台のデータ送出装置によって二重化され、データ放送用コンテンツを前記データ合成装置にてリアルタイムに制作し、前記データ送出装置から送出して選択する放送装置であって、
各データ合成装置は、
データを取得する情報取得手段と、
データ放送用コンテンツのうち変化のない情報を特定フォーマットで記述したテンプレートを記憶するテンプレート記憶手段と、
前記情報取得手段によって取得されたデータとテンプレート記憶手段から読み出したテンプレートを合成して放送用のフォーマットに変換するデータ生成手段と、
前記データ生成手段が生成したデータを前記２台のデータ送出装置へ分配するデータ分配手段を備え、
各データ送出装置は、
送信データを記憶している送信データ記憶手段と、
前記２台のデータ合成装置の各データ分配手段から前記データを受け取り、
受信したデータのうち障害情報の発生していないデータ合成装置のデータ分配手段のデータと前記送信データ記憶手段が記憶している送信データを比較し、
一致していれば受信したデータの破棄を、
一致しなければ送信データ記憶手段への書き込みを指示する
データ比較部と、
前記データ比較部から書込み指示があれば、受信したデータを前記送信データ記憶手段に書き込む送信データ書込み手段と、
送信データ記憶手段から送出データを繰り返し読み出す送信データ読み出し手段と、
読み出したデータを送出するデータ送信手段を備え、
前記選択手段は、前記２台のデータ送出装置のいずれかの出力を選択し、選択していたデータ送出装置に異常が発生した場合は選択したデータ送出装置を切り換える
ことを特徴とするデータ放送装置。
【発明の詳細な説明】
【０００１】
【発明の属する技術分野】
本発明は、デジタル放送システムに関する。
【０００２】
【従来の技術】
データ放送用コンテンツをリアルタイムに制作、送出するデータ放送装置は、外部から取得したデータをテンプレートと合成し、合成データを生成するデータ合成装置と合成データに識別子を付与してトランスポートパケット形式のデータ放送用コンテンツとし、繰り返し送出するデータ送出装置から構成される。
【０００３】
上記データ放送装置では、データ合成装置もしくはデータ送出装置に障害が発生すると、データ放送用コンテンツの更新や送出が停止してしまう。
【０００４】
従来、データ放送装置の信頼性を向上させるためのためには、データ放送装置を二重化することで、どちらか一方のデータ放送装置の障害発生によるデータ放送用コンテンツの更新や送出の停止を防止したり、データ合成装置、データ送出装置をクラスタリングし、どちらか一方のデータ合成装置およびデータ送出装置に障害が発生しても、もう一方の機器に切り替えることでデータ放送用コンテンツの更新や送出の停止を防止したりする技術があった。
【０００５】
ところが、データ放送装置を二重化した場合には、片系のデータ放送装置のデータ合成装置と他系のデータ放送装置のデータ送出装置に障害が発生した場合放送が停止してしまう。また、データ合成装置、データ送出装置をクラスタリングした場合には、機器のクラスタ切り替え中にはデータ放送用コンテンツの更新や送出が停止してしまうという課題があった。
【０００６】
【発明が解決しようとする課題】
本発明の目的は、二重化されたデータ放送装置において、データ合成装置とデータ送出装置に同時に障害が発生した場合、正常に稼動するデータ合成装置とデータ送出装置が最低１台ずつあれば、たとえそれが同じ系のデータ合成装置とデータ送出装置の組み合わせでなくても、データ放送の送出を確保することにある。
【０００７】
また、本発明を使用すれば、機器のクラスタリングを行なう必要がないため、機器のクラスタ切り替えによるデータ放送用コンテンツの更新や送出の停止時間が発生することがない。
【０００８】
【課題を解決するための手段】
この課題を解決するために、本発明は、２台のデータ合成装置、２台のデータ送出装置及び選択手段を備え、前記２台のデータ合成装置と前記２台のデータ送出装置によって二重化され、データ放送用コンテンツを前記データ合成装置にてリアルタイムに制作し、前記データ送出装置から送出して選択する放送装置であって、各データ合成装置は、データを取得する情報取得手段と、データ放送用コンテンツのうち変化のない情報を特定フォーマットで記述したテンプレートを記憶するテンプレート記憶手段と、前記情報取得手段によって取得されたデータとテンプレート記憶手段から読み出したテンプレートを合成して放送用のフォーマットに変換するデータ生成手段と、前記データ生成手段が生成したデータを前記２台のデータ送出装置へ分配するデータ分配手段を備え、各データ送出装置は、送信データを記憶している送信データ記憶手段と、前記２台のデータ合成装置の各データ分配手段から前記データを受け取り、受信したデータのうち障害情報の発生していないデータ合成装置のデータ分配手段のデータと前記送信データ記憶手段が記憶している送信データを比較し、一致していれば受信したデータの破棄を、一致しなければ送信データ記憶手段への書き込みを指示するデータ比較部と、前記データ比較部から書込み指示があれば、受信したデータを前記送信データ記憶手段に書き込む送信データ書込み手段と、送信データ記憶手段から送出データを繰り返し読み出す送信データ読み出し手段と、読み出したデータを送出するデータ送信手段を備え、前記選択手段は、前記２台のデータ送出装置のいずれかの出力を選択し、選択していたデータ送出装置に異常が発生した場合は選択したデータ送出装置を切り換えることを特徴とするので、機器をクラスタリングする必要もなく、また、正常に稼動するデータ合成装置とデータ送出装置が最低１台ずつあれば、たとえそれが同じ系のデータ合成装置とデータ送出装置の組み合わせでなくても、データ放送番組の更新、送出を確保できる。
【０００９】
【発明の実施の形態】
以下、本発明の実施形態に関る放送装置について、図を用いて説明する。
【００１０】
図１は、本発明に係るデジタル放送システムの一実施の形態の構成を示すブロック図である。デジタル放送システム３００は、情報提供部３０１、データ合成装置Ａ３０２、データ送出装置Ａ３０３、データ合成装置Ｂ３０４、データ送出装置Ｂ３０５、ＴＳスイッチャ３０６、映像送出部３０７、音声送出部３０８、多重化部３０９を含む。
【００１１】
図２は本発明に係るデジタル放送システムのうち、データ合成装置Ａ３０２とデータ送出装置Ａ３０３の詳細な構成を表わすブロック部である。データ送出装置Ａ３０２は情報取得部４０１、テンプレート保持部４０２、データ生成部４０３、データ分配部４０４を含む。データ送出装置Ａ３０３はデータ比較部４０５、送信データ保持部４０６、送信データ書込み部４０７、送信データ読出し部４０８、データ送信部４０９を備え、送信するデータの内容をリアルタイムに更新しながら、データ放送番組をデジタル放送波にのせて放送する。
【００１２】
図３は通常のＴＶ番組と本実施の形態で生じるデータ放送の一例であるデータ放送番組の内容の一例を示した図である。デジタル放送システム３００が映像ストリーム１０２、音声ストリーム（図示せず）と、データ放送用コンテンツを繰り返し多重して送信することで、利用者はデータ放送受信機を用いて、画像ストリーム１０１に示すようにＴＶ番組映像を見ながら、データ放送を視聴することができる。
【００１３】
例えば、通常のＴＶ番組ではシーン１１５、シーン１１６、シーン１１７に示されるようなシーンの連続である画像ストリーム１０１と音声ストリームのみを視聴するが、図３のシーン１０３では、動画、音声に加えて、「夜のニュース」が表示されている。
【００１４】
また、ニュースの詳細は、時間の経過に従ってリアルタイムに変化する情報である。デジタル放送システム３００は、データ放送用コンテンツの中で、ニュース詳細の変化する部分の情報を、リアルタイムに最新の内容に更新しながら送信する。これにより、視聴者は常に最新のニュース情報を参照することが可能になる。
【００１５】
例えば、利用者がシーン１０３を表示している時に、新しいニュースが発生した場合、シーン１０４に示すように自動的にニュースの内容が更新される。
【００１６】
以上がデジタル放送システムで実現されるサービスの概要説明である。以下でデジタル放送システムの構成について詳細に説明する。
【００１７】
図４は情報提供部３０１から情報取得部４０１に送られる更新データの一例を示している。
【００１８】
図５はテンプレート保持部４０２に保持されているテンプレートの一例を示している。
【００１９】
情報取得部４０１は、情報提供部３０１から更新データ５００を受信すると、受信した更新データ５００をデータ生成部４０３に送信する。データ生成部４０３はテンプレートであるスケルトン５０１および置き換えリスト５０２を読み出し、更新データ５００と合成し、ＭＰＥＧ２システム規格で規定された、１つまたは複数のプライベートセクションに変換する。
【００２０】
以下にテンプレートと更新データ５００の合成方法の一例を示す。
【００２１】
情報取得部４０１が更新データ５００を受信すると、データ生成部４０３はテンプレートであるスケルトン５０１および置き換えリスト５０２を読み出す。そして、置き換えリスト５０２の＜Ｌｉｓｔ＞タグ内の＜Ｅｌｅｍｅｎｔ＞タグの数だけ以下の処理を繰り返す。
【００２２】
＜Ｅｌｅｍｅｎｔ＞には１つの＜ｉｄ＞と１つの＜Ｋｅｙ＞タグが存在する。
【００２３】
まず、置き換えリスト５０２の＜Ｋｅｙ＞タグの要素の内容と同じ文字列を有する更新データ５００の＜Ｋｅｙ＞タグについて、前述の＜Ｋｅｙ＞タグと同じ＜Ｉｔｅｍ＞タグ内に含まれる＜ｖａｌｕｅ＞タグの要素の内容を読み出す。
【００２４】
その後、置き換えリスト５０２の＜ｉｄ＞タグの要素と同じ『ｉｄ』を有するタグをスケルトン文書５０１から検索し、そのタグの要素の内容を先程読込んだ＜ｖａｌｕｅ＞タグの要素の内容に置き換える。
【００２５】
例えば、置き換えリスト５０２の１つ目の＜Ｅｌｅｍｅｎｔ＞については、＜Ｋｅｙ＞タグの要素と同じ文字列、すなわち「ｄａｔａ１」という文字列を有する更新データ５００の＜Ｋｅｙ＞タグを検索する。更新データ５００の１つ目の＜Ｉｔｅｍ＞タグの＜Ｋｅｙ＞タグと等しいので、この＜Ｉｔｅｍ＞タグに含まれる＜ｖａｌｕｅ＞タグの要素、すなわち「緊急ニュース」を読み出す。
【００２６】
その後、＜ｉｄ＞タグの要素「ｔｉｔｌｅ」と同じｉｄを有するタグをスケルトン文書５０１から検索し、そのタグの要素である「タイトル」と先程読込んだ＜ｖａｌｕｅ＞タグの要素「緊急ニュース」を置き換える。
【００２７】
上記処理を置き換えリスト５０２の＜Ｌｉｓｔ＞タグ内の＜Ｅｌｅｍｅｎｔ＞タグの数だけ繰り返すことにより、テンプレートと更新データ５００が合成される。
【００２８】
なお、特定フォーマットで記述された複数のデータを合成する方法は一般的に知られており、また、合成方法は本発明の本眼ではないため、前述以外の合成方法については、説明を省略する。
【００２９】
図６の合成データ６００は、置き換えリスト５０２を用いて、更新データ５００とスケルトン文書５０１を合成した場合の合成データのイメージ図である。実際の合成データはＭＰＥＧ２システム規格で規定された、１つまたは複数のプライベートセクションに変換されている。プライベートセクションのフォーマットおよびプライベートセクションへの変換方法は一般的に知られており、また、本発明の本眼ではないため説明を省略する。
データ分配器４０４は合成データ６００をデータ送出装置Ａ３０３のデータ比較部４０５とデータ送出装置Ｂ３０５のデータ比較部４０５に送出する。
データ送出装置Ａ３０３とデータ送出装置Ｂ３０５の動作は同じであるので、ここではデータ送出装置Ａ３０３に着目して説明するものとする。
データ比較部４０５は、データ分配部４０４もしくはデータ分配部４１０のいずれかから合成データ６００を受信すると、合成データ６００と送出データ保持部に保持されているデータ放送用コンテンツを比較する。一致すれば合成データ６００を破棄し、一致しなければ、合成データ６００を送出データ書込み部４０７に送出する。
ここで、本発明のポイントであるデータ比較部４０５の動作の詳細について説明する。
【００３０】
図７はデータ比較部の詳細を説明するフローチャートである。
データ比較部はデータ分配部４０４からの合成データ受信を待ち（Ｓ７０１）、合成データを受信したかどうかを判定し（Ｓ７０２）、合成データを受信していれば、送信データ保持部４０６に保持されているトランスポートパケットを読込み（Ｓ７０３）、合成データとトランスポートパケットのデータを比較する（Ｓ７０４）。合成データを受信していなければ、再び合成データ受信待ち（Ｓ７０１）に戻る。
【００３１】
ここで、合成データはＭＰＥＧ２システム規格で規定されたプライベートセクション形式であり、トランスポートパケットとはプライベートセクションを１８４バイトごとのパケットに区切り、４バイトのヘッダ情報をそれぞれのパケットに付加したデータである。そのため、合成データとトランスポートパケットを比較するには、トランスポートパケットのそれぞれのパケットからヘッダを除いたデータと合成データとを比較すればよい。
【００３２】
合成データとトランスポートパケットのデータが一致するかどうかを判定し（Ｓ７０５）、一致すれば合成データを破棄して（Ｓ７０６）合成データ受信待ち（Ｓ７０１）に戻り、一致しなければ合成データを送出データ書込み部に送出し（Ｓ７０７）、合成データ受信待ち（Ｓ７０１）に戻る。
【００３３】
ところで本実施例では、情報提供部３０１はデータ合成装置Ａ３０２とデータ合成装置Ｂに更新データを配信するため、データ合成装置Ａ３０２とデータ合成装置Ｂが正常に動作している環境では、データ比較部４０５はデータ合成装置Ａ３０２のデータ分配部４０４とデータ合成装置Ｂのデータ分配部から同一の合成データ６００を受信することになる。ところで、以上の説明では、データ比較部４０５は、受信した合成データ６００がいずれのデータ分配部から受信しても同等の動作をするように構成しているが、以下のような構成としても良い。
【００３４】
正常時はデータ比較部４０５はデータ分配部４０４からのデータを優先的に取得し、受信パケットに不正パケットのアラームが発生した時やあるいは情報取得部４０１、データ生成部４０３、テンプレート保持部４０２、データ分配部４０４のいずれかの機器の障害情報が発生したときにデータ分配部４１０からのデータ取得に切り換える。同様に、データ送出装置Ｂのデータ比較部については、データ合成装置Ｂのデータ分配部４１０からのデータを優先的に取得するようにし、データ合成装置Ｂ系に何らかの障害の可能性があるときにＡ系からの受信データに切り換える。
【００３５】
以上のような構成により、片方のデータ合成装置に異常が発生しても、データ送出装置への合成データ６００の供給は停止されないため、データ放送番組の更新が停止するのを防ぐ事ができる。
また、データ比較部４０５において、同一内容の合成データを受信したら破棄することにより、同一内容のデータ放送用コンテンツに異なるバージョン番号が付与されて送出され、データ放送受信機で不要にバージョンアップを検知し、再描画してしまうのを防ぐことができる。
【００３６】
送出データ書込み部４０７は合成データ６００を受信すると、ＭＰＥＧ２システム規格で規定された、１つまたは複数のプライベートセクションをトランスポートパケットに変換して送信データ保持部４０６に書き込む。
【００３７】
送信データ保持部４０６は半導体メモリ、磁気ディスク等の記憶媒体によって構成され、送信データ書込み部４０７によって生成されたトランスポートパケット形式のデータ放送用コンテンツとバージョン番号テーブルとＰＩＤ情報を記憶している。
【００３８】
ＰＩＤとは、チャンネルごとにユニークな識別子である。
【００３９】
バージョン番号とは、データ放送受信機がデータ放送用コンテンツの内容が更新されたことを識別するために、データ送出装置Ａ３０３が、トランスポートパケットにモジュール単位で付与される番号である。ここで、モジュールとはトランスポートパケットをデータ放送受信機に分割して蓄積するための分割単位である。
【００４０】
送出データ保持部４０６は、トランスポートパケットが更新される度に、トランスポートパケットのモジュールに付与するバージョン番号の値を１ずつ増加させる。但し、バージョン番号の値があらかじめ定められた最大値を超えると１に戻す。データ放送受信機は、保持しているモジュールのバージョン番号と異なるバージョン番号を有するモジュールを受信すると、自動的に保持中のモジュールを破棄して新しいモジュールを取得する。従って、データ送出装置Ａ３０３から送信されるデータ放送用コンテンツの内容が更新されれば、データ放送受信機で表示されるデータ放送用コンテンツの内容も自動的に更新される。
【００４１】
図８は合成データ５００であるプライベートセクション８０１のイメージを示した図である。
プライベートセクション８０１はヘッダ情報として、モジュール番号（ｍｏｄｕｌｅ＿ｉｄ）、バージョン番号（ｖｅｒｓｉｏｎ＿ｎｕｍｂｅｒ）等の情報を有する。
ここで、モジュール番号（ｍｏｄｕｌｅ＿ｉｄ）とは、モジュールを識別するためのＩＤである。
また、バージョン番号は送信データ読出し部４０８で付与されるため、ここでは仮の値として０が入っている。
【００４２】
図９のトランスポートパケット９００は、プライベートセクション８０１をトランスポートパケット形式に変換した時のイメージを示した図である。トランスポートパケット９００はパケット９０１を含む複数のパケットから構成される。
トランスポートパケットヘッダには、ＰＩＤやトランスポートパケットをプライベートセクションの形式に復元するための各種情報が含まれている。また、ＰＩＤは送信データ読出し部４０８で付与されるため、ここでは仮の値として０が入っている。
送出データ保持部４０６は、送出データ書込み部４０７から新たなトランスポートパケットを受信すると、今まで保持していたトランスポートパケットを破棄して新たなトランスポートパケットを記憶すると同時に、受信したトランスポートパケットに含まれているモジュールのモジュール番号に対応するパージョン番号テーブルのバージョン番号を１増加させる。
【００４３】
図１０のバージョン番号テーブル１０００は、送出データ書込み部４０７に記憶されているバージョン番号テーブルのイメージを示した図である。送出データ書込み部４０７は、トランスポートパケット９００を受信すると、トランスポートパケット９００に含まれているモジュールのモジュール番号（ｍｏｄｕｌｅ＿ｉｄ）について、パージョン番号テーブル１０００のバージョン番号（ｖｅｒｓｉｏｎ＿ｎｕｍｂｅｒ）の値を１増加させる。トランスポートパケット９００には、ｍｏｄｕｌｅ＿ｉｄが０のモジュールが含まれているため、パージョン番号テーブルはバージョン番号テーブル１００１のように更新される。
【００４４】
送信データ読出し部４０８は、送信データ保持部４０６が保持しているトランスポートパケット９００とバージョン番号テーブル１００１とＰＩＤ情報を繰り返し読み出し、読み出したトランスポートパケット９００のバージョン番号とＰＩＤ情報を送信データ保持部４０６から読み出したバージョン番号テーブル１００１のバージョン番号とＰＩＤ情報に書き換えて送出トランスポートストリーム１１００を生成し、データ送信部４０９へ送信する。
【００４５】
図１１は、トランスポートパケット９００から生成した送出トランスポートパケット１１００のイメージを示した図である。
【００４６】
送信データ保持部４０６から読み出したバージョン番号テーブル１００１には、モジュール番号０のモジュールに「０ｘ０１」のバージョン番号を割り当てるように指示されているため、送出トランスポートパケット１１００のパケット１１０１のｖｅｒｓｉｏｎ＿ｎｕｍｂｅｒには「０ｘ０１」の値が入っている。同様にして、送信データ保持部４０６から読出したＰＩＤ情報（図示せず）をもとに、パケット１１０１のＰＩＤには「０ｘ１０００」の値が入っている。
【００４７】
データ送信部４０９は送信データ読み出し部４０６から送信された送出トランスポートストリーム１１００をＴＳスイッチャ３０６に送出する。
ＴＳスイッチャ３０６は、複数のデータ送出装置から１つを選択し、選択したデータ送出装置から受信した送出トランスポートストリームを多重化部３０９に送出する。選択するデータ送出装置は、操作卓などから手動で切り換える方法と、ＴＳスイッチャが複数のデータ送出装置を常に監視し、データ送出装置の異常を検出して自動的に切り換える方法がある。詳しい実現方法に関しては、本発明の主眼ではないので説明を省略する。
ところで本実施例では、データ合成装置Ａ３０２、データ合成装置Ｂ３０４はデータ送出装置Ａ３０３およびデータ送出装置Ｂ３０５に合成データ６００を送信することから、データ送出装置Ａ３０３とデータ送出装置Ｂ３０５が正常に動作している環境では、ＴＳスイッチャ３０６はデータ送出装置Ａ３０３とデータ送出装置Ｂ３０５から同一の送出トランスポートストリームを受信することになる。
常に複数のデータ送出装置から同一の送出トランスポートストリームを受信しておき、選択していたデータ送出装置に異常が発生した場合には、ＴＳスイッチャ３０６によって選択するデータ送出装置を切り換える。
これにより、片方のデータ送出装置に異常が発生しても、データ放送番組の送出停止を防ぐ事ができる。
【００４８】
映像送出部３０７はＴＶ番組の映像を送出する。図３のストリーム１０２は映像送出部から送出される映像の一例を示す図である。映像送出方法の詳細に関しては、ＭＰＥＧ２ビデオ等で一般的に知られており、また本発明の主眼ではないので省略する。
音声送出部３０８はＴＶ番組の音声を送出する。
音声送出方法の詳細に関しては、ＭＰＥＧ２オーディオ等で一般的に知られており、また本発明の主眼ではないので省略する。
多重化部３０９はＴＳスイッチャ３０６、映像送出部３０７、音声送出部３０８から送信された送出データをＭＥＰＧ２システム規格で規定された方法に基づいてＭＰＥＧ２トランスポートストリーム中に多重し、生成したトランスポートストリームデータをデジタル放送波にのせて放送する多重送出方法の詳細に関しては、ＭＰＥＧ２システム等で一般的に知られており、また本発明の主眼ではないので省略する。
【００４９】
図３のシーン１０４は、合成データ６００をトランスポートパケット形式に変換し、映像、音声と多重して送出されたデジタル放送をデータ放送受信機にて再生した際の表示内容である。
【００５０】
このようにして、図３のシーン１０３が放送されているデータ放送番組は、情報提供部３０１から更新データ５００を受信することにより、新しいデータ放送用コンテンツを自動的に生成、送出するため、データ放送受信機では常に最新の情報を視聴することができる。
【００５１】
【発明の効果】
以上に説明したように、本発明によれば以下のような効果が得られる。
【００５２】
二重化されたデータ放送装置において、データ合成装置とデータ送出装置に同時に障害が発生した場合、正常に稼動するデータ合成装置とデータ送出装置が最低１台ずつあれば、たとえそれが同じ系のデータ合成装置とデータ送出装置の組み合わせでなくても、データ放送番組の更新、送出を確保することができる。
【００５３】
また、機器をクラスタリングする必要がないため、クラスタ切り換え中の待ち時間が生じない。
【図面の簡単な説明】
【図１】本実施例におけるデジタル放送システムの情報提供部とデータ放送装置の構成図
【図２】データ放送装置の構成要素であるデータ生成装置とデータ送出装置の詳細を示す図
【図３】データ放送受信機により再生されるデータ放送番組の例を示す図
【図４】情報提供部から情報取得部に送られる更新データの一例を示す図
【図５】テンプレート保持部に保持されているテンプレートの一例を示す図
【図６】テンプレートと更新データを合成した合成データのイメージの一例を示す図
【図７】データ比較部の詳細を説明するフローチャート
【図８】プライベートセクションのイメージの一例を示す図
【図９】トランスポートパケットのイメージの一例を示す図
【図１０】バージョン番号テーブルのイメージの一例を示す図
【図１１】送出トランスポートパケットのイメージの一例を示す図
【符号の説明】
３００  デジタル放送システム
３０１  情報提供部
３０２  データ合成装置Ａ
３０３  データ送出装置Ａ
３０４  データ合成装置Ｂ
３０５  データ送出装置Ｂ
３０６  ＴＳスイッチャ
３０７  映像送出部
３０８  音声送出部
３０９  多重化部
４０１  情報取得部
４０２  テンプレート保持部
４０３  データ生成部
４０４、４１０  データ分配部
４０５  データ比較部
４０６  送信データ保持部
４０７  送信データ書込み部
４０８  送信データ読出し部
４０９  データ送信部
【図１】
0004500466.tif 000002
【図２】
0004500466.tif 000003
【図３】
0004500466.tif 000004
【図４】
0004500466.tif 000005
【図５】
0004500466.tif 000006
【図６】
0004500466.tif 000007
【図７】
0004500466.tif 000008
【図８】
0004500466.tif 000009
【図９】
0004500466.tif 000010
【図１０】
0004500466.tif 000011
【図１１】
0004500466.tif 000012